(57)【要約】【課題】簡単な構造で物品の転倒を良好に防止することができる転倒防止装置を提供する。【解決手段】転倒防止装置は、ダンパ１０、及び一対のベース部３０Ａ，３０Ｂを備えている。ダンパ１０は、シリンダ１１、ロッド１３、及びスプリング１８を有している。シリンダ１１は設置面上に設置された家具Ｆの上面と天井Ｃとの間に鉛直方向に対して伸縮方向が所定の角度をなして取り付けられ、一方の端部が開口した開口部１１Ａと他方の端部が閉鎖した底部１１Ｂとを具備している。つまり、シリンダ１１は有底である。ロッド１３はシリンダ１１に挿入され、開口部１１Ａから先端部１３Ａが突出している。スプリング１８はロッド１３の基端部１３Ｂとシリンダ１１の底部１１Ｂとの間に設けられる。一対のベース部３０Ａ，３０Ｂはシリンダ１１の底部１１Ｂ、及びロッド１３の先端部１３Ａにそれぞれ回動自在に連結され、家具Ｆの上面と天井Ｃとにそれぞれが当接する。【選択図】図１
2017131320.tif 000002
【特許請求の範囲】
【請求項１】
設置面上に設置された物品の上面と天井との間に鉛直方向に対して伸縮方向が所定の角度をなして取り付けられ、一方の端部が開口した開口端部と他方の端部が閉鎖した閉鎖端部とを具備した有底のシリンダ、前記シリンダに挿入され、前記開口端部から先端部が突出したロッド、及び前記ロッドの基端部と前記シリンダの前記閉鎖端部との間に設けられたスプリングを有したダンパと、
前記シリンダの前記閉鎖端部、及び前記ロッドの前記先端部にそれぞれ回動自在に連結され、前記物品の上面と前記天井とにそれぞれが当接する一対のベース部と、
を備えていることを特徴とする転倒防止装置。
【請求項２】
前記スプリングは、
伸縮方向で複数の異なるばね定数を有していること特徴とする請求項１記載の転倒防止装置。
【請求項３】
前記スプリングは、
異なるばね定数の複数のスプリング部材を直列に配置していることを特徴とする請求項１又は２記載の転倒防止装置。
【請求項４】
前記スプリングは、
異なるばね定数のスプリング部材を並列に配置していることを特徴とする請求項１乃至３いずれか１項記載の転倒防止装置。
【請求項５】
前記一対のベース部は、
前記ロッドに対する回動方向に対して交差する方向に揺動することを特徴とする請求項１乃至４いずれか１項記載の転倒防止装置。
【発明の詳細な説明】
【技術分野】
【０００１】
本発明は転倒防止装置に関するものである。
【背景技術】
【０００２】
特許文献１は従来の転倒防止装置を開示している。この転倒防止装置は物品側ベース部、天井側ベース部、ダンパ、及び付勢手段を備えている。物品側ベース部は物品に接触することができる。天井側ベース部は天井に接触することができる。ダンパは両端部のそれぞれが物品側ベース部と天井側ベース部とに回動自在に連結されている。ダンパはシリンダ、ピストン、及びロッドを有している。シリンダは作動油が封入されている。ピストンはシリンダに摺動自在に挿入され、シリンダ内をロッド側圧力室と反ロッド側圧力室とに区画している。ロッドは一端部がピストンに連結され他端部がシリンダの外部へ突出している。ダンパは物品の揺れに伴い伸縮して作動油がピストンに設けられたオリフィスを通過してロッド側圧力室と反ロッド側圧力室とを行き来することによって減衰力を発生する。付勢手段はダンパを伸長方向に付勢するためにシリンダ内に封入された窒素ガスである。
【０００３】
この転倒防止装置は、物品と天井との間に設置する際、付勢手段に抗してダンパを収縮させた状態で、物品と天井との間に挿入する。そして、この転倒防止装置は物品と天井との間で付勢手段である窒素ガスによってダンパを伸長させ、物品側ベース部を物品に面接触させ、天井側ベース部を天井に面接触させる。ダンパは窒素ガスの膨張力によって伸長方向に付勢されている。このため、この転倒防止装置は物品側ベース部と天井側ベース部とが互いに離れる方向に付勢されて、それぞれが物品と天井とに押し付けられる。こうして、この転倒防止装置は物品と天井との間に取り付けることができる。
【０００４】
この転倒防止装置はダンパが物品側ベース部と天井側ベース部との間に回動自在に連結されている。このため、この転倒防止装置は物品が揺れると、物品側ベース部とダンパが物品の動きに追従することができる。そして、物品の揺れに伴って物品の上面と天井との間の寸法が変化すると、この転倒防止装置はダンパが物品の上面と天井との間の寸法の変化に応じて伸縮して減衰力を発生する。このため、この転倒防止装置は、物品と天井との間から脱落することなく、かつ物品と天井とを損傷することもなく、物品の揺れを抑えて物品の転倒を良好に防止することができる。
【先行技術文献】
【特許文献】
【０００５】
【特許文献１】特開２０１５−６３３０号公報
【発明の概要】
【発明が解決しようとする課題】
【０００６】
しかし、特許文献１の転倒防止装置は、減衰力を発生させるために作動油を用いている。さらに、この転倒防止装置はダンパを伸長方向に付勢するために窒素ガスが封入されている。このため、この転倒防止装置は作動油や窒素ガスが外部に漏れないようにするため、構造が複雑になるおそれがある。さらに、この転倒防止装置は製造する際に作動油や窒素ガスを扱う必要があるため、製造する設備も複雑になるおそれがある。
【０００７】
本発明は、上記従来の実情に鑑みてなされたものであって、簡易な構造で物品の転倒を良好に防止することができる転倒防止装置を提供することを解決すべき課題としている。
【課題を解決するための手段】
【０００８】
本発明の転倒防止装置は、ダンパ、及び一対のベース部を備えている。ダンパは、シリンダ、ロッド、及びスプリングを有している。シリンダは設置面上に設置された物品の上面と天井との間に鉛直方向に対して伸縮方向が所定の角度をなして取り付けられ、一方の端部が開口した開口端部と他方の端部が閉鎖した閉鎖端部とを具備している。つまり、シリンダは有底である。ロッドはシリンダに挿入され、開口端部から先端部が突出している。スプリングはロッドの基端部とシリンダの閉鎖端部との間に設けられる。一対のベース部はシリンダの閉鎖端部、及びロッドの先端部にそれぞれ回動自在に連結され、物品の上面と天井とにそれぞれが当接する。
【０００９】
この転倒防止装置はスプリングを形成する線材の断面積や材質、螺旋状に形成された直径、及び螺旋状に形成されて伸縮方向に隣り合う線材の間の寸法等を調節することによって、スプリングの特性を所望の特性に容易に変更することができる。つまり、この転倒防止装置は取り付ける物品の大きさや重さ等に合わせてスプリングの特性を容易に最適化させることができる。また、この転倒防止装置は作動油や窒素ガスを用いなくても済むため、製造する設備をより簡単にすることができる。
【００１０】
また、この転倒防止装置は、地震等の揺れによって一対のベース部がシリンダの閉鎖端部、及びロッドの先端部に対する回動方向と平行な方向に物品が傾くと、ダンパが回動軸周りに回動する。これにより、この転倒防止装置は地震等の揺れによって物品が傾いても、一対のベース部のそれぞれが物品の上面と天井とに当接した状態を維持して、物品の転倒を防止することができる。
【００１１】
したがって、本発明の転倒防止装置は、簡単な構造で物品の転倒を良好に防止することができる。
【００１２】
本発明の転倒防止装置のスプリングは、伸縮方向で複数の異なるばね定数を有し得る。この場合、この転倒防止装置は、物品と天井との間に取り付ける場合と、物品と天井との間に取り付けた後、地震等の揺れによって物品が傾いた場合とでスプリングのばね定数を変えることができる。これにより、この転倒防止装置は物品と天井との間に取り付ける場合、スプリングのばね定数を小さくすることによって、容易に物品と天井との間に取り付けることができる。また、この転倒防止装置は物品と天井との間に取り付けた状態において、物品と天井との間に取り付ける場合に比べてスプリングのばね定数を大きくすることによって地震等の揺れによって物品が傾くことを確実に抑えることができる。
【００１３】
本発明の転倒防止装置のスプリングは、異なるばね定数の複数のスプリング部材を直列に配置し得る。この場合、この転倒防止装置はスプリングを収納するシリンダの外径をより抑えることができる。これにより、この転倒防止装置は見栄えを良くすることができる。
【００１４】
本発明の転倒防止装置のスプリングは、異なるばね定数のスプリング部材を並列に配置し得る。この場合、この転倒防止装置はスプリングを収納するシリンダの長さを抑えることができる。これにより、この転倒防止装置は全長をより小さくすることができるため、取り付ける物品と天井との間の寸法がより小さい場合であっても取り付けることができる。
【００１５】
本発明の転倒防止装置の一対のベース部は、ロッドに対する回動方向に対して交差する方向に揺動し得る。この場合、この転倒防止装置は地震等の揺れによって、一対のベース部がシリンダの閉鎖端部、及びロッドの先端部に対する回動方向と交差する方向に物品が揺れても、一対のベース部が回動方向と交差する方向に揺動するため、各ベース部が物品の上面と天井とに当接した状態を維持することができる。そして、一対のベース部の回動方向と平行な方向に物品が傾くと、この転倒防止装置は、ダンパが回動軸周りに回動するため、ダンパで発生した弾性力によって物品の傾きを抑えて、物品の転倒を防止することができる。つまり、この転倒防止装置は、揺れ方向が複合的な地震等に対して、各ベース部が物品の上面と天井とに当接した状態を維持し、物品の転倒を防止することができる。
【００１６】
ここで、物品は、家具、書棚、冷蔵庫、ショーケース、サーバーラック、複数の寝台を上下方向に連結したベッド、大型テレビ等、地震等の揺れによって転倒するおそれのあるものが含まれる。
【図面の簡単な説明】
【００１７】
【図１】実施形態１の転倒防止装置を家具の上面と天井との間に取り付けた状態を示す側面図である。
【図２】実施形態１の転倒防止装置を家具の上面と天井との間に取り付けた状態を示す正面図である。
【図３】実施形態１の転倒防止装置のダンパ及び第１ベース部を示す部分断面図である。
【図４】実施形態１の転倒防止装置のダンパ、第１ベース部、及び落下防止部を示す斜視図である。
【図５】実施形態１のダンパ、第１ベース部、及び落下防止部を示す部分断面図である。
【図６】実施形態１の転倒防止装置のダンパ、第１ベース部、及び角度規制部を示す部分断面図である。
【図７】実施形態１のダンパを示す断面図である。
【図８】実施形態２のダンパを示す断面図である。
【図９】実施形態３のダンパを示す断面図である。
【図１０】実施形態４のダンパを示す断面図である。
【発明を実施するための形態】
【００１８】
本発明の転倒防止装置を具体化した実施形態１〜４について、図面を参照しつつ説明する。
【００１９】
＜実施形態１＞
実施形態１の転倒防止装置は、図１に示すように、家具Ｆの上面と天井Ｃとの間に少なくとも１個以上が取り付けられる。この家具Ｆは、床面（図示せず）から鉛直方向に伸びた壁面Ｗに背面を対向させて床面上に設置されている。また、この家具Ｆは、直方体形状であり、正面（図１における右側面）に図示しない扉や引き出し等を有し、内部に衣類や装身具等を収納することができる。家具Ｆは、水平断面形状が左右方向（図１において奥行き方向）に長い長方形状である。この家具Ｆは、転倒防止装置が取り付けられていない場合、地震等の揺れによって、前方向（図１における右方向）に傾いて転倒するおそれがある。
【００２０】
転倒防止装置は、図１、２に示すように、ダンパ１０、一対のベース部３０Ａ，３０Ｂ、落下防止部５０、及び角度規制部７０を備えている。
【００２１】
ダンパ１０は、図７に示すように、シリンダ１１、ロッドガイド１２、ピストン１４、ロッド１３、当接部材１６、スプリング１８、及び２個のジョイント部１５を有している。シリンダ１１は筒状をなして一方向に延びており、シリンダ１１は一方の端部が開口した開口端部である開口部１１Ａと、他方の端部が閉鎖した閉鎖端部である底部１１Ｂとを具備している。つまり、シリンダ１１は有底である。ロッドガイド１２は平板状をなして、シリンダ１１の開口部１１Ａを封鎖している。ロッドガイド１２は板厚方向に貫通して、第１挿通孔１２Ａが設けられている。
【００２２】
ピストン１４はシリンダ１１内に摺動自在に挿入されている。ピストン１４は一端面の中央部に突出して形成された第１案内部１４Ａが設けられている。第１案内部１４Ａは外径が後述するスプリング１８の螺旋状の内径より僅かに小さい。ロッド１３は基端部１３Ｂがピストン１４の他端面に連結されている。ロッド１３はロッドガイド１２の第１挿通孔１２Ａを挿通して先端部１３Ａ側がシリンダ１１の外部へ突出している。つまり、ロッド１３はシリンダ１１に挿入され、開口部１１Ａから先端部１３Ａが突出している。
【００２３】
当接部材１６はシリンダ１１内の閉鎖端部である底部１１Ｂに設けられている。当接部材１６は一端面の中央部に突出して形成された第２案内部１６Ａが設けられている。第２案内部１６Ａは外径が後述するスプリング１８の螺旋状の内径より僅かに小さい。当接部材１６は他端がシリンダ１１内の底部１１Ｂに当接している。
【００２４】
スプリング１８は線材である金属線を螺旋状に形成した圧縮コイルばねである。スプリング１８はシリンダ内に挿入されている。スプリング１８は螺旋状の外径がシリンダ１１の内径より僅かに小さい。また、スプリング１８は伸縮方向の一端から他端にかけて螺旋状の外径、及び螺旋状に形成されて伸縮方向に隣り合う金属線の間の寸法が一定である。スプリング１８は一端がピストン１４の一端面に当接している。また、スプリング１８は一端部にピストン１４の第１案内部１４Ａを挿入している。また、スプリング１８は他端が当接部材１６の一端面に当接している。また、スプリング１８は他端部に当接部材１６の第２案内部１６Ａを挿入している。つまり、スプリング１８はロッド１３の基端部１３Ｂとシリンダ１１の底部１１Ｂとの間に設けられている。
【００２５】
各ジョイント部１５は平板状の金具を折り曲げて形成されている（図１〜３参照。）。また、各ジョイント部１５はシリンダ１１の底部１１Ｂとロッド１３の先端部１３Ａに接続されている（図１、２参照。）。各ジョイント部１５はダンパ１０の軸線に直交する方向に貫通した貫通孔１５Ａが形成されている（図１〜３参照。）。
【００２６】
こうして形成されたダンパ１０は、シリンダ１１に対して、ロッド１３が押し込まれ、スプリング１８が圧縮されることによって、シリンダ１１からロッド１３が伸長する方向に弾性力が発生する。この弾性力はシリンダ１１に対してロッド１３が押し込まれる寸法が大きくなると共に大きくなる。また、スプリング１８を単位長さ圧縮した際に発生する弾性力の大きさはばね定数に依存する。ばね定数とはスプリングを単位長さ圧縮又は伸長した際に、圧縮又は伸長した方向に対向してスプリングで発生する弾性力の大きさを表す定数である。例えば、スプリングを所定の寸法圧縮又は伸長した場合、ばね定数が小さいスプリングに比べて、ばね定数が大きいスプリングで発生する弾性力が大きい。ばね定数はスプリングを形成している金属線の断面積、螺旋状に形成されて伸縮方向に隣り合う金属線の間の寸法等に比例し、螺旋状の外径に反比例する。
【００２７】
一対のベース部３０Ａ，３０Ｂは、図１、２に示すように、シリンダ１１の底部１１Ｂに接続されたジョイント部１５を連結した第１ベース部３０Ａであり、ロッド１３の先端部１３Ａに接続されたジョイント部１５を連結した第２ベース部３０Ｂである。第１ベース部３０Ａは家具Ｆの上面に当接して載置され、第２ベース部３０Ｂは天井Ｃに当接する。第１ベース部３０Ａ及び第２ベース部３０Ｂは同じ形態及び構造である。各ベース部３０Ａ，３０Ｂは、図１〜４に示すように、ベース部本体３１、回動軸部材であるボルト４５及びナット４７、ブッシュ３５、及び滑り止め部３７を有している。
【００２８】
家具Ｆの上面に第１ベース部３０Ａを当接して載置された状態で第１ベース部３０Ａを上方から見た平面視において、ベース部本体３１は長方形状をなしている（以下、この平面視におけるベース部本体３１の外形において長辺が延びている方向を「長辺方向」と言い、短辺が延びている方向を「短辺方向」と言う。）。また、家具Ｆの上面に当接して載置された状態で第１ベース部３０Ａを短辺方向に見た側面視において、ベース部本体３１は下端縁が家具Ｆの上面に平行に直線状に伸びており、上端縁が下端縁の両側から上方に膨らんだ円弧状をなしている（図１参照。）。また、家具Ｆの上面に当接して載置された状態で第１ベース部３０Ａを長辺方向に見た側面視において、ベース部本体３１は下端縁と比べて上端縁の寸法が短いほぼ台形状をなしている（図２、３参照。）。
【００２９】
家具Ｆの上面に当接して載置された状態の第１ベース部３０Ａにおいて、ベース部本体３１は上面に長辺方向（図１における左右方向であり、図２、３における奥行き方向）に伸びた溝部４１が形成されている。溝部４１は、底面４１Ａが水平面上に広がり、内壁面４１Ｂが底面４１Ａの両側にほぼ鉛直方向に立ち上がっている。溝部４１の底面４１Ａはベース部本体３１の上下方向のほぼ中央に伸びている。また、溝部４１の底面４１Ａは、後述する一対の凸部４３，４３が形成されている部分を除き、幅が一定に形成されている。
【００３０】
溝部４１は、図４に示すように、長辺方向の中央部に溝部４１の底面４１Ａ及び両内壁面４１Ｂ，４１Ｂから突出した一対の凸部４３，４３が形成されている。これら凸部４３，４３は、図２、３に示すように、互いの間にダンパ１０のジョイント部１５及び後述するブッシュ３５が嵌まり込む空間が形成されている。この空間は溝部４１に連通している。一対の凸部４３，４３のそれぞれの内壁面４３Ａ，４３Ａ同士の間隔（空間の短辺方向の長さ）は後述するブッシュ３５の長さより僅かに大きい。また、一対の凸部４３，４３は上部中央に後述するボルト４５の軸部４５Ｂが挿通する第２挿通孔４３Ｂが短辺方向に貫通して設けられている。
【００３１】
溝部４１は底面４１Ａに同一形状の一対の被係止孔４９が形成されている。これら被係止孔４９は凸部４３から溝部４１の両端に向けてほぼ等しい距離に形成されている。これら被係止孔４９は溝部４１の幅全体に伸びたスリット形状である。つまり、これら被係止孔４９は、長さが溝部４１の幅寸法と等しく、幅が後述する落下防止部５０の係止部５１Ａの厚み、及び角度規制部７０に設けられた差込部７１Ｂの厚みより僅かに大きい。一方の被係止孔４９は後述する落下防止部５０の係止部５１Ａが差し込まれ係止する被係止部である。他方の被係止孔４９は後述する角度規制部７０に設けられた差込部７１Ｂが差し込まれ係止する被係止部である。
【００３２】
家具Ｆの上面に当接して載置された状態の第１ベース部３０Ａにおいて、ベース部本体３１は、長辺方向の中央部であって、溝部４１の両側に窪み部４２が形成されている。この窪み部４２は上方向と短辺方向の外方向に開口している。また、この窪み部４２は凸部４３を貫通した第２挿通孔４３Ｂが側面に開口している。また、この窪み部４２は後述するボルト４５の頭部４５Ａと、このボルト４５にねじ込まれたナット４７のそれぞれが配置される。また、この窪み部４２は、ボルト４５の頭部４５Ａとナット４７に上方から工具が嵌合することができるように、長辺方向において上方に広がるように形成されている。
【００３３】
ベース部本体３１は、図１〜３に示すように、空洞である。また、このベース部本体３１は、家具Ｆの上面に当接して載置された状態の第１ベース部３０Ａにおいて、下方に開口している。このベース部本体３１は、内部に短辺方向に平行に伸びた複数条のリブＲ１と、長辺方向に平行に伸びた２条のリブＲ２とが交差して形成されている。
【００３４】
回動軸部材は、図２〜４に示すように、ベース部本体３１の第２挿通孔４３Ｂの一方から挿入されたボルト４５と、このボルト４５の軸部４５Ｂにねじ込まれたナット４７とから構成されている。ボルト４５の中心軸が各ベース部３０Ａ，３０Ｂにおけるダンパ１０の回動軸である。
【００３５】
ブッシュ３５は、図３に示すように、ほぼ円筒状をなしている。ブッシュ３５は弾性体である。ブッシュ３５の長さはベース部本体３１に設けられた一対の凸部４３，４３の内壁面４３Ａ，４３Ａ同士の間隔よりも僅かに小さい。ブッシュ３５は中央部の外周面を一周した凹部３５Ａが形成されている。この凹部３５Ａは外径がダンパ１０のジョイント部１５に形成された貫通孔１５Ａの内径にほぼ等しい。ブッシュ３５は凹部３５Ａの両端から径方向の外側に立ち上がった部分の外径がダンパ１０のジョイント部１５に形成された貫通孔１５Ａの内径よりも大きい。また、ブッシュ３５は円筒状の両端部の外周面３５Ｂが外方向に縮径している。このため、ブッシュ３５はダンパ１０のジョイント部１５に形成された貫通孔１５Ａに弾性変形させながら挿入される。そして、ブッシュ３５は、貫通孔１５Ａに凹部３５Ａが嵌まり込んで、ダンパ１０のジョイント部１５に取り付けられる。
【００３６】
ブッシュ３５は中央部の内径がボルト４５の軸部４５Ｂの外径よりも僅かに大きい。また、ブッシュ３５は両端部の内周面３５Ｃが外方向に拡径している。このため、このブッシュ３５はボルト４５の軸部４５Ｂ周りに回動自在である。また、このブッシュ３５は、拡径した両端部の内周面３５Ｃがボルト４５の軸部４５Ｂの外周面に当接する範囲で、ボルト４５の軸部４５Ｂに対して傾くことができる。つまり、ブッシュ３５をジョイント部１５に取り付けたダンパ１０は、ボルト４５の軸部４５Ｂ周りに回動自在であり、回動方向に交差する方向に揺動自在である。具体的には、寸法上の余裕と内周面３５Ｃの拡径によって揺動する。さらに、ブッシュ３５が弾性変形することによって、ダンパ１０は回動方向に交差する方向に、より大きく揺動することができる。
【００３７】
滑り止め部３７は、図１〜６に示すように、ベース部本体３１の外形に対して僅かに大きい相似形（長方形状）の外形である。滑り止め部３７はゴム製である。また、滑り止め部３７は、家具Ｆの上面に当接して載置された状態の第１ベース部３０Ａにおいて、ベース部本体３１の下端開口に嵌合される。また、滑り止め部３７はほぼ平板である。詳しくは、滑り止め部３７は、家具Ｆの上面又は天井Ｃに当接する面が平坦であり、その反対側を向いた面（ベース部本体３１に対向する面）は、ベース部本体３１の外周壁及びリブＲ１，Ｒ２に合わせた嵌合溝が形成されている（図３参照。）。滑り止め部３７はその弾性力によってベース部本体３１に着脱自在に取り付けられる。
【００３８】
ここで、ダンパ１０と各ベース部３０Ａ，３０Ｂとを組み付ける組付け工程について説明する。
【００３９】
先ず、ダンパ１０の両端に設けられた２個のジョイント部１５に形成された各貫通孔１５Ａにブッシュ３５を嵌め込み、ブッシュ３５をダンパ１０のジョイント部１５に取り付ける。次に、ブッシュ３５を取り付けたダンパ１０のジョイント部１５の一方をベース部本体３１に形成された一対の凸部４３，４３の間に挿入する。そして、ボルト４５の軸部４５Ｂをベース部本体３１の第２挿通孔４３Ｂ及びブッシュ３５に挿通させ、ボルト４５の軸部４５Ｂにナット４７をねじ込む。こうして、ダンパ１０のジョイント部１５の一方にベース部本体３１を連結する。ダンパ１０のジョイント部１５の他方も同様にベース部本体３１を連結する。この状態で、図２に示すように、ボルト４５の頭部４５Ａとナット４７（回動軸部材の両端部）はダンパ１０の中心軸に対称な位置でベース部本体３１の窪み部４２内で露出している。そして、ダンパ１０の両端部に連結されたそれぞれのベース部本体３１に滑り止め部３７を嵌合させて、ダンパ１０と各ベース部３０Ａ，３０Ｂとの組み付け工程を終了する。
【００４０】
こうして組み付けられたダンパ１０と各ベース部３０Ａ，３０Ｂとは、ボルト４５の軸部４５Ｂに対してブッシュ３５が回動自在である。このため、各ベース部３０Ａ，３０Ｂはダンパ１０の両端部のそれぞれを回動軸周りに回動自在に連結している。つまり、各ベース部３０Ａ，３０Ｂはシリンダ１１の底部１１Ｂ、及びロッド１３の先端部１３Ａにそれぞれ回動自在に連結されている。また、ブッシュ３５は、両端部の内周面３５Ｃが外方向に拡径している。このため、ブッシュ３５の拡径した両端部の内周面３５Ｃがボルト４５の軸部４５Ｂの外周面に当接する範囲で、ブッシュ３５が回動軸に対して傾くことができる。具体的には、寸法上の余裕と内周面３５Ｃの拡径によって揺動する。さらに、ブッシュ３５は、弾性体であり、弾性変形することによって、ダンパ１０が回動方向に交差する方向に、より大きく揺動することができる。このように、各ベース部３０Ａ，３０Ｂに連結されたダンパ１０は回動方向と交差する方向に揺動することができる。
【００４１】
落下防止部５０は、図１、４、５に示すように、平板帯状の金属を折り曲げて形成されている。落下防止部５０は、幅がベース部本体３１に形成された溝部４１の幅よりも僅かに狭く、一定である。つまり、落下防止部５０の幅はベース部本体３１に形成されたスリット形状の被係止孔４９の長さよりも僅かに狭い。また、落下防止部５０は連結部５１と垂下部５３とを有している。落下防止部５０の連結部５１は一方の端部を直角に折り曲げて形成した係止部５１Ａを有している。落下防止部５０の垂下部５３は、連結部５１の他方の端部に連続し、連結部５１に対して直交し、係止部５１Ａと同じ方向に伸びている。落下防止部５０の垂下部５３は、後述するように転倒防止装置の上部側が壁面Ｗから離れる方向に倒れた際に、壁面Ｗと家具Ｆの背面との間から抜けない程度の長さに設定されている。例えば、落下防止部５０の垂下部５３は滑り止め部３７より下側に１００ｍｍ以上の長さを有している。
【００４２】
落下防止部５０は、図１、５に示すように、家具Ｆの上面に当接して載置された第１ベース部３０Ａに取り付けられる。詳しくは、落下防止部５０は、連結部５１の係止部５１Ａが、家具Ｆの上面に当接して載置された状態の第１ベース部３０Ａのベース部本体３１の壁面Ｗ側に位置する被係止孔４９に挿入され係止される。このように、この転倒防止装置は落下防止部５０を第１ベース部３０Ａに容易に取り付けることができる。また、この転倒防止装置は梱包時等に落下防止部５０を第１ベース部３０Ａから外して嵩張らないようにすることができる。
【００４３】
落下防止部５０の連結部５１は、第１ベース部３０Ａのベース部本体３１に取り付けられた状態で、ベース部本体３１に形成された溝部４１に沿って伸び、他方の端部が第１ベース部３０Ａの外縁（第１ベース部３０Ａの滑り止め部３７の外縁）より外側に位置する。垂下部５３は、連結部５１の他方の端部から垂下し、第１ベース部３０Ａの滑り止め部３７の外縁の僅か外側を下方に向けて伸びている。落下防止部５０は、第１ベース部３０Ａより下方において、壁面Ｗと家具Ｆの背面との間に配置される。
【００４４】
角度規制部７０は、図１、２、６に示すように、家具Ｆの上面に当接して載置された第１ベース部３０Ａに着脱自在に取り付けられる。このため、この転倒防止装置は梱包時等に角度規制部７０を第１ベース部３０Ａから外して嵩張らないようにすることができる。角度規制部７０は、第１ベース部３０Ａに取り付けられた状態で、ほぼ鉛直方向に伸びた規制部７１と、規制部７１の下部に連続して設けられ、規制部７１の傾倒を防止する支持部７３とを有している。規制部７１は、平板であり、ほぼ長方形状である。規制部７１は、家具Ｆの上面に当接して載置された状態の第１ベース部３０Ａに角度規制部７０を取り付けた際、一方の端部が上端に位置する受部７１Ａであり、他方の端部が下端に位置し、ベース部本体３１の壁面Ｗから離れた側に位置する被係止孔４９に挿入される差込部７１Ｂである。
【００４５】
規制部７１は、ダンパ１０のシリンダ１１が受部７１Ａに当接することによって、ダンパ１０がその傾斜姿勢よりも倒れないように規制する。ダンパ１０の傾斜角度は鉛直方向に対して１５°〜２５°が好ましい。受部７１Ａは、上方に開放しており、シリンダ１１の外周の約１／３程度が当接するように、中央が下方に凹んで湾曲している。このように、受部７１Ａは、シリンダ１１をしっかりと保持しないため、地震等の揺れによって家具Ｆが傾いたり揺れたりした際に生じるダンパ１０の動きを拘束しない。つまり、この転倒防止装置は、地震等の揺れによって家具Ｆが揺れたり、傾いたりした際に、各ベース部３０Ａ，３０Ｂに対してダンパ１０が回動軸周りに回動自在であり、回動方向に交差する方向に揺動自在である。
【００４６】
差込部７１Ｂは、図６に示すように、先端に向けて薄くなるように短辺の両側の角部を長辺方向に切り欠いた傾斜面７１Ｃ、７１Ｃを有している。傾斜面７１Ｃ、７１Ｃによって、差込部７１Ｂがベース部本体３１の被係止孔４９に挿入しやすい。また、差込部７１Ｂは先端部の一方の面から短辺方向に突出した突起７１Ｄを有している。角度規制部７０は第１ベース部３０Ａに対して着脱自在であるが、意図せずに差込部７１Ｂがベース部本体３１の被係止孔４９から引き抜かれる方向に角度規制部７０に力が働いた場合、突起７１Ｄが被係止孔４９に引っ掛かり、引き抜かれ難くなっている。
【００４７】
支持部７３は、第１支持部７３Ａと、第２支持部７３Ｂとを具備している。第１支持部７３Ａは、規制部７１と同じ幅を有しており、規制部７１に直交する方向に伸びた平板である。第１支持部７３Ａは、規制部７１の差込部７１Ｂが第１ベース部３０Ａのベース部本体３１の被係止孔４９に挿入されると、ベース部本体３１に形成された溝部４１の底面４１Ａに当接した状態になる。第２支持部７３Ｂは第１支持部７３Ａと規制部７１との間の角部に連結された直角二等辺三角形状の平板である。詳しくは、第２支持部７３Ｂは、等しい長さの２辺のそれぞれが第１支持部７３Ａの側面と規制部７１の側面に連結され、第１支持部７３Ａと規制部７１とが直交した状態となるように支持している。
【００４８】
次に、この転倒防止装置を壁面Ｗに背面を対向させて床面上に設置された家具Ｆの上面と天井Ｃとの間に取り付ける取付け方法について説明する。
【００４９】
先ず、この転倒防止装置の第１ベース部３０Ａのベース部本体３１に形成された一方の被係止孔４９に落下防止部５０の連結部５１の係止部５１Ａを挿入し、第１ベース部３０Ａに落下防止部５０を取り付ける。また、第１ベース部３０Ａのベース部本体３１に形成された他方の被係止孔４９に角度規制部７０の差込部７１Ｂを挿入し、第１ベース部３０Ａに角度規制部７０を取り付ける。
【００５０】
次に、落下防止部５０と角度規制部７０とが取り付けられた第１ベース部３０Ａを、家具Ｆの壁面Ｗ側の上面に滑り止め部３７を当接させて載置する。この際、落下防止部５０の垂下部５３を家具Ｆの背面に沿って垂下させるように第１ベース部３０Ａを家具Ｆの上面に載置する。つまり、落下防止部５０の垂下部５３は壁面Ｗと家具Ｆの背面との間に配置される。また、第１ベース部３０Ａを家具Ｆの上面に載置した状態で、第１ベース部３０Ａのボルト４５の軸部４５Ｂ（回動軸）は、家具Ｆが地震等の揺れによって傾く方向に対して直交する方向に伸びている。つまり、ダンパ１０が回動軸周りに回動する方向と家具Ｆの傾く方向とが平行になるように、第１ベース部３０Ａは家具Ｆの上面に載置される。
【００５１】
次に、転倒防止装置のダンパ１０を圧縮する。このとき、この転倒防止装置はダンパ１０を第２ベース部３０Ｂと天井Ｃとの間に隙間が設けられる程度圧縮する。そして、ダンパ１０のシリンダ１１が角度規制部７０の受部７１Ａに当接するようにダンパ１０を傾斜させる。この状態で、ダンパ１０は傾斜角度が鉛直方向に対して１５°〜２５°の間の適正な角度になる。そして、第２ベース部３０Ｂのボルト４５の軸部４５Ｂ（回動軸）が、第１ベース部３０Ａのボルト４５の軸部４５Ｂ（回動軸）と平行になるように、第２ベース部３０Ｂの向きを正す。この状態で、ダンパ１０の圧縮を止めると、シリンダ１１内に挿入されたスプリング１８の弾性力によってダンパ１０が伸長し、第２ベース部３０Ｂが天井Ｃに当接する（図１、２参照。）。つまり、各ベース部３０Ａ，３０Ｂは家具Ｆの上面と天井Ｃとにそれぞれが当接する。このとき、この転倒防止装置はシリンダ１１内に挿入されたスプリング１８が僅かに圧縮された状態である。つまり、この転倒防止装置は家具Ｆの上面と天井Ｃとの間に取り付けられた状態において、ダンパ１０の伸長方向に弾性力が発生している。こうして、この転倒防止装置はダンパ１０を設置面上に設置された家具Ｆの上面と天井Ｃとの間に鉛直方向に対して伸縮方向が所定の角度をなして取り付けることができる。なお、取り付け作業を完了した後、第１ベース部３０Ａから角度規制部７０を取り外しても良い。
【００５２】
こうして、この転倒防止装置は、角度規制部７０が取り付けられた第１ベース部３０Ａを家具Ｆの上面に載置すれば、適切な傾斜角度にダンパ１０を傾斜させることができ、その傾斜角度を維持して第２ベース部３０Ｂを天井Ｃに当接させるのみで転倒防止装置を家具Ｆの上面と天井Ｃとの間に適切に取り付けることができる。
【００５３】
また、この転倒防止装置は、家具Ｆの上面と天井Ｃとの間へ取り付ける作業中であって、第２ベース部３０Ｂを天井Ｃに当接させる前の状態、つまり、家具Ｆの上面に第１ベース部３０Ａを当接させて載置し、落下防止部５０の垂下部５３を壁面Ｗと家具Ｆの背面との間に配置した状態で、転倒防止装置の上部側が壁面Ｗから離れる方向に倒れると、その勢いで家具Ｆの上面に当接させた第１ベース部３０Ａの壁面Ｗ側が浮き上がる。すると、この転倒防止装置は第１ベース部３０Ａに取り付けられた落下防止部５０の垂下部５３が壁面Ｗに引っ掛かる。このため、この転倒防止装置は家具Ｆの前面側に落下することを防止することができる。
【００５４】
次に、この転倒防止装置の動作を説明する。
【００５５】
家具Ｆの上面と天井Ｃとの間に取り付けられた転倒防止装置は、地震等の揺れによって家具Ｆが前方向に傾くと、第１ベース部３０Ａが第２ベース部３０Ｂに近づく（図示せず。）。これにより、この転倒防止装置は家具Ｆの上面と天井Ｃとの間に取り付けられた状態から、さらにダンパ１０が収縮することによってスプリング１８が圧縮されると、ダンパ１０の伸長方向の弾性力がより大きくなる（図示せず。）。つまり、この転倒防止装置はダンパ１０が収縮する寸法が大きくなるほど、ダンパ１０の弾性力が大きくなる。これにより、この転倒防止装置は地震等の揺れが大きくなり家具Ｆが前方向に大きく傾くほどダンパ１０の弾性力が大きくなるため、確実に家具Ｆの転倒を防止することができる。
【００５６】
また、この転倒防止装置は、図１に示すように、天井Ｃ側から家具Ｆの上面側に伸びたダンパ１０の軸線が下り傾斜し、かつ上方から見た平面視において地震等の揺れによって家具Ｆが傾く方向と平行にダンパ１０の軸線が伸びた状態でダンパ１０が取り付けられている。このため、この転倒防止装置は、家具Ｆの傾きに対してダンパ１０のスプリング１８の弾性力を効果的に作用させることができ、家具Ｆの転倒を防止することができる。
【００５７】
また、この転倒防止装置は、ダンパ１０の両端部のそれぞれを各ベース部３０Ａ，３０Ｂがブッシュ３５を介して連結している。このブッシュ３５は、弾性体であり、両端部の内周面３５Ｃが外方向に拡径している。このため、寸法上の余裕と内周面３５Ｃの拡径によって揺動し、ブッシュ３５の拡径した両端部の内周面３５Ｃがボルト４５の軸部４５Ｂの外周面に当接する範囲で、ブッシュ３５が回動軸に対して傾くことができる。これにより、この転倒防止装置は各ベース部３０Ａ，３０Ｂに連結されたダンパ１０が回動方向と交差する方向に揺動することができる。つまり、この転倒防止装置の各ベース部３０Ａ，３０Ｂは、ロッド１３に対する回動方向に対して交差する方向に揺動する。
【００５８】
このように、この転倒防止装置はスプリング１８を形成する金属線の断面積や材質、螺旋状の外径、及び螺旋状に形成されて伸縮方向に隣り合う金属線の間の寸法等を調節することによって、スプリング１８の特性を所望の特性に容易に変更することができる。つまり、この転倒防止装置は取り付ける家具Ｆの大きさや重さ等に合わせてスプリング１８の特性を容易に最適化させることができる。また、この転倒防止装置は作動油や窒素ガスを用いなくても済むため、製造する設備をより簡単にすることができる。
【００５９】
また、この転倒防止装置は、地震等の揺れによって各ベース部３０Ａ，３０Ｂがシリンダ１１の底部１１Ｂ、及びロッド１３の先端部１３Ａに対する回動方向と平行な方向に家具Ｆが傾くと、ダンパ１０が回動軸周りに回動する。これにより、この転倒防止装置は地震等の揺れによって家具Ｆが傾いても、各ベース部３０Ａ，３０Ｂのそれぞれが家具Ｆの上面と天井Ｃとに当接した状態を維持して、家具Ｆの転倒を防止することができる。
【００６０】
したがって、実施形態１の転倒防止装置は、簡単な構造で家具Ｆの転倒を良好に防止することができる。
【００６１】
また、この転倒防止装置の各ベース部３０Ａ，３０Ｂは、ロッド１３に対する回動方向に対して交差する方向に揺動する。このため、この転倒防止装置は地震等の揺れによって、各ベース部３０Ａ，３０Ｂがシリンダ１１の底部１１Ｂ、及びロッド１３の先端部１３Ａに対する回動方向と交差する方向に家具Ｆが揺れても、各ベース部３０Ａ，３０Ｂが回動方向と交差する方向に揺動するため、各ベース部３０Ａ，３０Ｂが家具Ｆの上面と天井Ｃとに当接した状態を維持することができる。そして、各ベース部３０Ａ，３０Ｂの回動方向と平行な方向に家具Ｆが傾くと、この転倒防止装置は、ダンパ１０が回動軸周りに回動するため、ダンパ１０で発生した弾性力によって家具Ｆの傾きを抑えて、家具Ｆの転倒を防止することができる。つまり、この転倒防止装置は、揺れ方向が複合的な地震等に対して、各ベース部３０Ａ，３０Ｂが家具Ｆの上面と天井Ｃとに当接した状態を維持し、家具Ｆの転倒を防止することができる。
【００６２】
また、この転倒防止装置の各ベース部３０Ａ，３０Ｂは、ロッド１３に対する回動方向に対して交差する方向に揺動する。このため、この転倒防止装置は地震等の揺れによって、各ベース部３０Ａ，３０Ｂがシリンダ１１の底部１１Ｂ、及びロッド１３の先端部１３Ａに対する回動方向と交差する方向に家具Ｆが揺れても、各ベース部３０Ａ，３０Ｂが回動方向と交差する方向に揺動するため、各ベース部３０Ａ，３０Ｂが家具Ｆの上面と天井Ｃとに当接した状態を維持することができる。そして、各ベース部３０Ａ，３０Ｂの回動方向と平行な方向に家具Ｆが傾くと、この転倒防止装置は、ダンパ１０が回動軸周りに回動するため、ダンパ１０で発生した弾性力によって家具Ｆの傾きを抑えて、家具Ｆの転倒を防止することができる。つまり、この転倒防止装置は、揺れ方向が複合的な地震等に対して、各ベース部３０Ａ，３０Ｂが家具Ｆの上面と天井Ｃとに当接した状態を維持し、家具Ｆの転倒を防止することができる。
【００６３】
＜実施形態２＞
実施形態２の転倒防止装置は、図８に示すように、スプリング１１８の形態が実施形態１と相違する。他の構成は実施形態１と同様であり、実施形態１と同様の構成は同一の符号を付し、詳細な説明を省略する。また、この転倒防止装置を家具Ｆの上面と天井Ｃとの間に取り付ける取付け方法は、実施形態１と同様である。
【００６４】
この転倒防止装置はダンパ１１０のシリンダ１１内に挿入されたスプリング１１８の伸縮方向の一端から他端に向けて金属線の断面積が徐々に大きくなっている。また、スプリング１１８は一端から他端にかけて螺旋状の外径、及び螺旋状に形成されて伸縮方向に隣り合う金属線の間の寸法がほぼ一定である。つまり、この転倒防止装置はスプリング１１８のばね定数が一端側から他端側に向けて徐々に大きくなっている。つまり、スプリング１１８は伸縮方向で複数の異なるばね定数を有している。また、スプリング１１８は螺旋状の外径がシリンダ１１の内径より僅かに小さい。
【００６５】
スプリング１１８は一端がピストン１４の一端面に当接している。また、スプリング１１８は一端部にピストン１４の第１案内部１４Ａを挿入している。また、スプリング１１８は他端が当接部材１６の一端面に当接している。また、スプリング１１８は他端部に当接部材１６の第２案内部１６Ａを挿入している。
【００６６】
こうして形成されたダンパ１１０は、シリンダ１１に対してロッド１３が押し込まれ、スプリング１１８が圧縮されることによって、シリンダ１１からロッド１３が伸長する方向に弾性力が発生する。この弾性力はシリンダ１１に対してロッド１３が押し込まれる寸法が大きくなると共に大きくなる。また、この転倒防止装置はスプリング１１８のばね定数が一端側より他端側が大きいため、一端側が圧縮される寸法が他端側が圧縮される寸法より大きい。つまり、この転倒防止装置は家具Ｆの上面と天井Ｃとの間に取り付ける場合、ばね定数が小さいスプリング１１８の一端側が他端側に比べて僅かな力で圧縮することができるため、容易に家具Ｆの上面と天井Ｃとの間に取り付けることができる。また、この転倒防止装置は家具Ｆの上面と天井Ｃとの間に取り付けた状態において、地震等の揺れによって家具Ｆが前方向に傾くと、ばね定数の大きいスプリング１１８の他端側もより圧縮されるため、より大きな弾性力が発生する。このため、この転倒防止装置は地震等の揺れによって家具Ｆが傾くことを確実に抑えることができ、家具Ｆの転倒を防止することができる。
【００６７】
このように、この転倒防止装置もスプリング１１８を形成する金属線の断面積や材質、螺旋状の外径、及び螺旋状に形成されて伸縮方向に隣り合う金属線の間の寸法等を調節することによって、スプリング１１８の特性を所望の特性に容易に変更することができる。つまり、この転倒防止装置は取り付ける家具Ｆの大きさや重さ等に合わせてスプリング１１８の特性を容易に最適化させることができる。また、この転倒防止装置は作動油や窒素ガスを用いなくても済むため、製造する設備をより簡単にすることができる。
【００６８】
したがって、実施形態２の転倒防止装置は、簡単な構造で家具Ｆの転倒を良好に防止することができる。
【００６９】
また、この転倒防止装置のスプリング１１８は、伸縮方向で複数の異なるばね定数を有している。このため、この転倒防止装置は、家具Ｆの上面と天井Ｃとの間に取り付ける場合と、家具Ｆの上面と天井Ｃとの間に取り付けた後、地震等の揺れによって家具Ｆが傾いた場合とでスプリング１１８のばね定数を変えることができる。これにより、この転倒防止装置は家具Ｆの上面と天井Ｃとの間に取り付ける場合において、スプリング１１８のばね定数を小さくする。これにより、この転倒防止装置は容易に家具Ｆの上面と天井Ｃとの間に取り付けることができる。また、この転倒防止装置は家具Ｆの上面と天井Ｃとの間に取り付けた状態において、家具Ｆの上面と天井Ｃとの間に取り付ける場合に比べてスプリング１１８のばね定数を大きくすることによって地震等の揺れによって家具Ｆが傾くことを確実に抑えることができる。
【００７０】
＜実施形態３＞
実施形態３の転倒防止装置は、図９に示すように、複数のスプリング部材２１８Ａ，２１８Ｂが緩衝部材１７を介して直列に配置されている点が実施形態１、２と相違する。他の構成は実施形態１、２と同様であり、実施形態１、２と同様の構成は同一の符号を付し、詳細な説明を省略する。また、この転倒防止装置を家具Ｆの上面と天井Ｃとの間に取り付ける取付け方法は、実施形態１、２と同様である。
【００７１】
この転倒防止装置はダンパ２１０のシリンダ１１内にスプリング２１８である複数のスプリング部材２１８Ａ，２１８Ｂが互いに直列に挿入されている。スプリング部材２１８Ａの金属線の断面積はスプリング部材２１８Ｂの金属線の断面積より小さい。また、スプリング部材２１８Ａ，２１８Ｂはそれぞれの材質が同じである。また、スプリング部材２１８Ａ，２１８Ｂはそれぞれ一端から他端にかけて螺旋状の外径、及び螺旋状に形成されて伸縮方向に隣り合う金属線の間の寸法がほぼ一定である。つまり、スプリング２１８は異なるばね定数のスプリング部材２１８Ａ，２１８Ｂを直列に配置している。この転倒防止装置はスプリング部材２１８Ａのばね定数がスプリング部材２１８Ｂのばね定数より小さい。また、スプリング部材２１８Ａ，２１８Ｂは螺旋状の外径がシリンダ１１の内径より僅かに小さい。スプリング部材２１８Ａは一端がピストン１４の一端面に当接している。また、スプリング部材２１８Ａは一端部にピストン１４の第１案内部１４Ａを挿入している。また、スプリング部材２１８Ｂは他端が当接部材１６の一端面に当接している。また、スプリング部材２１８Ｂは他端部に当接部材１６の第２案内部１６Ａを挿入している。
【００７２】
この転倒防止装置はスプリング部材２１８Ａ，２１８Ｂの間に緩衝部材１７が設けられている。詳しくは、緩衝部材１７はシリンダ１１内に摺動自在に挿入されている。緩衝部材１７は一端面の中央部に突出して形成された第３案内部１７Ａ、及び他端面の中央部に突出して形成された第４案内部１７Ｂが設けられている。緩衝部材１７は一端面がスプリング部材２１８Ａの他端に当接している。また、緩衝部材１７は第３案内部１７Ａがスプリング部材２１８Ａの他端部に挿入されている。緩衝部材１７は他端面がスプリング部材２１８Ｂの一端に当接している。また、緩衝部材１７は第４案内部１７Ｂがスプリング部材２１８Ｂの一端部に挿入されている。
【００７３】
こうして形成されたダンパ２１０は、シリンダ１１に対して、ロッド１３が押し込まれると、スプリング２１８が圧縮されることによって、シリンダ１１からロッド１３が伸長する方向に弾性力が発生する。この弾性力はシリンダ１１に対してロッド１３が押し込まれる寸法が大きくなると共に大きくなる。また、この転倒防止装置はスプリング部材２１８Ａのばね定数がスプリング部材２１８Ｂのばね定数より小さい。このため、この転倒防止装置はシリンダ１１に対してロッド１３が押し込まれると、スプリング部材２１８Ａがスプリング部材２１８Ｂより多く圧縮される。そして、シリンダ１１に対してロッド１３がさらに押し込まれると、スプリング部材２１８Ａは螺旋状に形成されて伸縮方向に隣り合う金属線がスプリング部材２１８Ｂより先に密着する。つまり、この転倒防止装置は家具Ｆの上面と天井Ｃとの間に取り付ける場合、ばね定数が小さいスプリング部材２１８Ａがスプリング部材２１８Ｂに比べて僅かな力で圧縮することができるため、容易に家具Ｆの上面と天井Ｃとの間に取り付けることができる。また、この転倒防止装置は家具Ｆの上面と天井Ｃとの間に取り付けた状態において、地震等の揺れによって家具Ｆが前方向に傾くと、ばね定数の大きいスプリング部材２１８Ｂもより圧縮されるため、より大きな弾性力が発生する。このため、この転倒防止装置は地震等の揺れによって家具Ｆが傾くことを確実に抑えることができ、家具Ｆの転倒を防止することができる。
【００７４】
このように、この転倒防止装置もスプリング２１８を形成する金属線の断面積や材質、螺旋状の外径、及び螺旋状に形成されて伸縮方向に隣り合う金属線の間の寸法等を調節することによって、スプリング２１８の特性を所望の特性に容易に変更することができる。つまり、この転倒防止装置は取り付ける家具Ｆの大きさや重さ等に合わせてスプリング２１８の特性を容易に最適化させることができる。また、この転倒防止装置は作動油や窒素ガスを用いなくても済むため、製造する設備をより簡単にすることができる。
【００７５】
したがって、実施形態３の転倒防止装置は、簡単な構造で家具Ｆの転倒を良好に防止することができる。
【００７６】
また、この転倒防止装置のスプリング２１８は、異なるばね定数の複数のスプリング部材２１８Ａ、２１８Ｂを直列に配置している。このため、この転倒防止装置はスプリング２１８を収納するシリンダ１１の外径をより抑えることができる。これにより、この転倒防止装置は見栄えを良くすることができる。
【００７７】
＜実施形態４＞
実施形態４の転倒防止装置は、図１０に示すように、複数のスプリング部材３１８Ａ，３１８Ｂが並列に配置されている点、ピストン３１４の形態、及び当接部材３１６の形態が実施形態１乃至３と相違する。他の構成は実施形態１乃至３と同様であり、実施形態１乃至３と同様の構成は同一の符号を付し、詳細な説明を省略する。また、この転倒防止装置を家具Ｆの上面と天井Ｃとの間に取り付ける取付け方法は、実施形態１乃至３と同様である。
【００７８】
この転倒防止装置はダンパ３１０のシリンダ１１内にスプリング３１８である複数のスプリング部材３１８Ａ，３１８Ｂが並列に挿入されている。詳しくは、スプリング部材３１８Ａは金属線の断面積がスプリング部材３１８Ｂの金属線の断面積より小さい。また、スプリング部材３１８Ａ，３１８Ｂはそれぞれの材質が同じである。また、スプリング部材３１８Ａ，３１８Ｂはそれぞれ一端から他端にかけて螺旋状の外径が一定である。また、スプリング部材３１８Ａは螺旋状の内径がスプリング部材３１８Ｂの螺旋状の外径より大きい。また、スプリング部材３１８Ａ，３１８Ｂは螺旋状に形成されて伸縮方向に隣り合う金属線の間の寸法がほぼ同じである。つまり、この転倒防止装置はスプリング部材３１８Ａのばね定数がスプリング部材３１８Ｂのばね定数より小さい。また、スプリング部材３１８Ａは螺旋状の外径がシリンダ１１の内径より僅かに小さい。また、スプリング部材３１８Ａは一端から他端にかけての寸法がスプリング部材３１８Ｂの一端から他端にかけての寸法より大きい。こうして形成されたスプリング部材３１８Ａ，３１８Ｂは、スプリング部材３１８Ａの螺旋状の内側にスプリング部材３１８Ｂが配置されている。つまり、スプリング３１８は、異なるばね定数のスプリング部材３１８Ａ，３１８Ｂを並列に配置している。
【００７９】
ピストン３１４はシリンダ１１内に摺動自在に挿入されている。ピストン３１４は一端面の中央部に突出して形成された第１案内部３１４Ａが設けられている。また、ピストン３１４は第１案内部３１４Ａの先端面の中央部に突出して形成された第５案内部３１４Ｂが設けられている。
【００８０】
当接部材３１６はシリンダ１１内の閉鎖端部である底部１１Ｂに設けられている。当接部材３１６は一端面の中央部に突出して形成された第２案内部３１６Ａが設けられている。当接部材３１６は第２案内部３１６Ａの先端面の中央部に突出して形成された第６案内部３１６Ｂが設けられている。当接部材３１６は他端がシリンダ１１内の底部１１Ｂに密着している。
【００８１】
スプリング部材３１８Ａは一端がピストン３１４の一端面に当接している。また、スプリング部材３１８Ａは一端部にピストン３１４の第１案内部３１４Ａ及び第５案内部３１４Ｂを挿入している。また、スプリング部材３１８Ａは他端が当接部材３１６の一端面に当接している。また、スプリング部材３１８Ａは他端部に当接部材３１６の第２案内部３１６Ａ及び第６案内部３１６Ｂを挿入している。
【００８２】
スプリング部材３１８Ｂは一端がピストン３１４の第１案内部３１４Ａの先端面に当接していない。また、スプリング部材３１８Ｂは一端部にピストン３１４の第５案内部３１４Ｂを挿入している。また、スプリング部材３１８Ｂは他端が当接部材３１６の第２案内部３１６Ａの先端面に当接している。また、スプリング部材３１８Ｂは他端部に当接部材３１６の第６案内部３１６Ｂを挿入している。
【００８３】
こうして形成されたダンパ３１０は、シリンダ１１に対して、ロッド１３が押し込まれると、スプリング部材３１８Ｂの一端がピストン３１４の第１案内部３１４Ａの先端面に当接していないため、先ず、スプリング部材３１８Ａのみが圧縮される。そして、シリンダ１１に対してロッド１３がさらに押し込まれると、スプリング部材３１８Ｂの一端にピストン３１４の第１案内部３１４Ａの先端面が当接して、スプリング部材３１８Ｂも圧縮される。こうして、ダンパ３１０はシリンダ１１からロッド１３が伸長する方向に弾性力が発生する。この弾性力はスプリング部材３１８Ａのみが圧縮されている場合に比べて、スプリング部材３１８Ａ及びスプリング部材３１８Ｂが圧縮されている場合に発生する弾性力のほうが大きい。また、この弾性力はシリンダ１１に対してロッド１３が押し込まれる寸法が大きくなると共に大きくなる。つまり、この転倒防止装置は家具Ｆの上面と天井Ｃとの間に取り付ける場合、スプリング部材３１８Ａが先に僅かな力で圧縮することができるため、容易に家具Ｆの上面と天井Ｃとの間に取り付けることができる。また、この転倒防止装置は家具Ｆの上面と天井Ｃとの間に取り付けた状態において、地震等の揺れによって家具Ｆが前方向に傾くと、スプリング部材３１８Ａに加えてスプリング部材３１８Ｂも圧縮されるため、より大きな弾性力が発生する。このため、この転倒防止装置は地震等の揺れによって家具Ｆが傾くことを確実に抑えることができ、家具Ｆの転倒を防止することができる。
【００８４】
このように、この転倒防止装置もスプリング３１８を形成する金属線の断面積や材質、螺旋状の外径、及び螺旋状に形成されて伸縮方向に隣り合う金属線の間の寸法等を調節することによって、スプリング３１８の特性を所望の特性に容易に変更することができる。つまり、この転倒防止装置は取り付ける家具Ｆの大きさや重さ等に合わせてスプリング３１８の特性を容易に最適化させることができる。また、この転倒防止装置は作動油や窒素ガスを用いなくても済むため、製造する設備をより簡単にすることができる。
【００８５】
したがって、実施形態４の転倒防止装置は、簡単な構造で家具Ｆの転倒を良好に防止することができる。
【００８６】
また、この転倒防止装置のスプリング３１８は、異なるばね定数のスプリング部材３１８Ａ，３１８Ｂを並列に配置している。このため、この転倒防止装置はスプリング３１８を収納するシリンダ１１の長さを抑えることができる。これにより、この転倒防止装置は全長をより小さくすることができるため、取り付ける家具Ｆの上面と天井Ｃとの間の寸法がより小さい場合であっても取り付けることができる。
【００８７】
本発明は上記記述及び図面によって説明した実施形態１〜４に限定されるものではなく、例えば次のような実施形態も本発明の技術的範囲に含まれる。
（１）実施形態１では、転倒防止装置を家具に対して取り付けたが、地震等の揺れによって転倒するおそれのある、書棚、冷蔵庫等の物品に対して取り付けても良い。
（２）実施形態１では、転倒防止装置を壁面に背面を対向させて床面上に載置された家具に対して取り付けたが、壁面に隣接させずに床面上に載置された家具等に対して取り付けても良い。
（３）実施形態１では、各ベース部が回動軸部材を挿通するブッシュを有することで、ダンパの回動方向に交差する方向にダンパの揺動を許容するようにしたが、他の構造によってダンパの回動方向に交差する方向にダンパの揺動を許容するようにしても良い。
（４）実施形態１では、ブッシュの両端部の内周面が外方向に拡径していたが、ブッシュの両端部の内周面を拡径させなくても良い。この場合、ブッシュを弾性体にし、その弾性変形等によってダンパの回動方向に交差する方向にダンパの揺動を許容するようにしても良い。
（５）実施形態１では、ブッシュが弾性体であったが、弾性体でなくても良い。
（６）各ベース部の形態は実施形態１〜３の形態に限らない。
（７）実施形態１では、転倒防止装置が落下防止部を備えていたが、落下防止部を備えなくても良い。また、落下防止部を第１ベース部に一体的に形成しても良い。
（８）実施形態１では、転倒防止装置が角度規制部を備えていたが、角度規制部を備えなくても良い。また、実施形態１では、角度規制部が第１ベース部に着脱自在に取り付けられたが、角度規制部を第１ベース部やダンパのシリンダに一体的に形成しても良い。
（９）実施形態１〜４では、スプリングに金属線を用いているが、これに限らず、スプリングに金属線を用いなくても良い。
（１０）実施形態２では、スプリングの一端から他端にかけて金属線の断面性を変更しているが、これに限らず、スプリングの一端から他端にかけて金属線の断面積を一定にし、一端側と他端側とで調質を変更しても良い。又は、スプリングの一端から他端にかけて金属線の断面積を一定にし、一端側と他端側とで螺旋状に形成された隣り合う金属線の間の寸法を変更しても良い。
（１１）実施形態３、４では、互いにばね定数の異なる２個のスプリングを用いているが、これに限らず、互いにばね定数の異なるスプリングを３個以上用いても良い。また、一端側と他端側とでばね定数が異なるスプリングを２個以上用いても良い。
（１２）実施形態３、４では、互いに同じ材質の２個のスプリングを用いているが、これに限らず、互いに異なる材質のスプリングを用いても良い。
【符号の説明】
【００８８】
Ｃ…天井、Ｆ…家具（物品）、１０，１１０，２１０，３１０…ダンパ、１１…シリンダ、１１Ａ…開口部（開口端部）、１１Ｂ…底部（閉鎖端部）、１３…ロッド、１３Ａ…先端部、１８，１１８，２１８，３１８…スプリング、３０Ａ，３０Ｂ…ベース部（３０Ａ…第１ベース部、３０Ｂ…第２ベース部）、２１８Ａ，２１８Ｂ，３１８Ａ，３１８Ｂ…スプリング部材
【図１】
2017131320.tif 000003
【図２】
2017131320.tif 000004
【図３】
2017131320.tif 000005
【図４】
2017131320.tif 000006
【図５】
2017131320.tif 000007
【図６】
2017131320.tif 000008
【図７】
2017131320.tif 000009
【図８】
2017131320.tif 000010
【図９】
2017131320.tif 000011
【図１０】
2017131320.tif 000012
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
設置面上に設置された物品の上面と天井との間に鉛直方向に対して伸縮方向が所定の角度をなして取り付けられ、一方の端部が開口した開口端部と他方の端部が閉鎖した閉鎖端部とを具備した有底のシリンダ、前記シリンダに挿入され、前記開口端部から先端部が突出したロッド、及び前記ロッドの基端部と前記シリンダの前記閉鎖端部との間に設けられたスプリングを有したダンパと、
前記シリンダの前記閉鎖端部、及び前記ロッドの前記先端部にそれぞれ回動自在に連結され、前記物品の上面と前記天井とにそれぞれが当接する一対のベース部と、
を備え、
前記スプリングは、伸縮方向で複数の異なるばね定数を有していることを特徴とする転倒防止装置。
【請求項２】
設置面上に設置された物品の上面と天井との間に鉛直方向に対して伸縮方向が所定の角度をなして取り付けられ、一方の端部が開口した開口端部と他方の端部が閉鎖した閉鎖端部とを具備した有底のシリンダ、前記シリンダに挿入され、前記開口端部から先端部が突出したロッド、及び前記ロッドの基端部と前記シリンダの前記閉鎖端部との間に設けられたスプリングを有したダンパと、
前記シリンダの前記閉鎖端部、及び前記ロッドの前記先端部にそれぞれ回動自在に連結され、前記物品の上面と前記天井とにそれぞれが当接する一対のベース部と、
を備え、
前記スプリングは、異なるばね定数の複数のスプリング部材を直列に配置していることを特徴とする転倒防止装置。
【請求項３】
設置面上に設置された物品の上面と天井との間に鉛直方向に対して伸縮方向が所定の角度をなして取り付けられ、一方の端部が開口した開口端部と他方の端部が閉鎖した閉鎖端部とを具備した有底のシリンダ、前記シリンダに挿入され、前記開口端部から先端部が突出したロッド、及び前記ロッドの基端部と前記シリンダの前記閉鎖端部との間に設けられたスプリングを有したダンパと、
前記シリンダの前記閉鎖端部、及び前記ロッドの前記先端部にそれぞれ回動自在に連結され、前記物品の上面と前記天井とにそれぞれが当接する一対のベース部と、
を備え、
前記スプリングは、異なるばね定数のスプリング部材を並列に配置していることを特徴とする転倒防止装置。
【請求項４】
設置面上に設置された物品の上面と天井との間に鉛直方向に対して伸縮方向が所定の角度をなして取り付けられ、一方の端部が開口した開口端部と他方の端部が閉鎖した閉鎖端部とを具備した有底のシリンダ、前記シリンダに挿入され、前記開口端部から先端部が突出したロッド、及び前記ロッドの基端部と前記シリンダの前記閉鎖端部との間に設けられたスプリングを有したダンパと、
前記シリンダの前記閉鎖端部、及び前記ロッドの前記先端部にそれぞれ回動自在に連結され、前記物品の上面と前記天井とにそれぞれが当接する一対のベース部と、
を備え、
前記一対のベース部は、前記ロッドに対する回動方向に対して交差する方向に揺動することを特徴とする転倒防止装置。
【手続補正２】
【補正対象書類名】明細書
【補正対象項目名】０００８
【補正方法】変更
【補正の内容】
【０００８】
本発明の転倒防止装置は、ダンパ、及び一対のベース部を備えている。ダンパは、シリンダ、ロッド、及びスプリングを有している。シリンダは設置面上に設置された物品の上面と天井との間に鉛直方向に対して伸縮方向が所定の角度をなして取り付けられ、一方の端部が開口した開口端部と他方の端部が閉鎖した閉鎖端部とを具備している。つまり、シリンダは有底である。ロッドはシリンダに挿入され、開口端部から先端部が突出している。スプリングはロッドの基端部とシリンダの閉鎖端部との間に設けられ、伸縮方向で複数の異なるばね定数を有している。一対のベース部はシリンダの閉鎖端部、及びロッドの先端部にそれぞれ回動自在に連結され、物品の上面と天井とにそれぞれが当接する。
【手続補正３】
【補正対象書類名】明細書
【補正対象項目名】００１２
【補正方法】変更
【補正の内容】
【００１２】
本発明の転倒防止装置のスプリングは、伸縮方向で複数の異なるばね定数を有している。この場合、この転倒防止装置は、物品と天井との間に取り付ける場合と、物品と天井との間に取り付けた後、地震等の揺れによって物品が傾いた場合とでスプリングのばね定数を変えることができる。これにより、この転倒防止装置は物品と天井との間に取り付ける場合、スプリングのばね定数を小さくすることによって、容易に物品と天井との間に取り付けることができる。また、この転倒防止装置は物品と天井との間に取り付けた状態において、物品と天井との間に取り付ける場合に比べてスプリングのばね定数を大きくすることによって地震等の揺れによって物品が傾くことを確実に抑えることができる。
【手続補正４】
【補正対象書類名】明細書
【補正対象項目名】００１３
【補正方法】変更
【補正の内容】
【００１３】
本発明の転倒防止装置のスプリングは、異なるばね定数の複数のスプリング部材を直列に配置している。この場合、この転倒防止装置はスプリングを収納するシリンダの外径をより抑えることができる。これにより、この転倒防止装置は見栄えを良くすることができる。
【手続補正５】
【補正対象書類名】明細書
【補正対象項目名】００１４
【補正方法】変更
【補正の内容】
【００１４】
本発明の転倒防止装置のスプリングは、異なるばね定数のスプリング部材を並列に配置している。この場合、この転倒防止装置はスプリングを収納するシリンダの長さを抑えることができる。これにより、この転倒防止装置は全長をより小さくすることができるため、取り付ける物品と天井との間の寸法がより小さい場合であっても取り付けることができる。
【手続補正６】
【補正対象書類名】明細書
【補正対象項目名】００１５
【補正方法】変更
【補正の内容】
【００１５】
本発明の転倒防止装置の一対のベース部は、ロッドに対する回動方向に対して交差する方向に揺動する。この場合、この転倒防止装置は地震等の揺れによって、一対のベース部がシリンダの閉鎖端部、及びロッドの先端部に対する回動方向と交差する方向に物品が揺れても、一対のベース部が回動方向と交差する方向に揺動するため、各ベース部が物品の上面と天井とに当接した状態を維持することができる。そして、一対のベース部の回動方向と平行な方向に物品が傾くと、この転倒防止装置は、ダンパが回動軸周りに回動するため、ダンパで発生した弾性力によって物品の傾きを抑えて、物品の転倒を防止することができる。つまり、この転倒防止装置は、揺れ方向が複合的な地震等に対して、各ベース部が物品の上面と天井とに当接した状態を維持し、物品の転倒を防止することができる。